(57)【要約】【課題】施工された屋外グランドやコートの下方層の透水保水層に貯えられている雨水を、さらに透水保水層の上面に形成されている表層部の内部にまで、毛細管現象により常時均一に保湿でき、屋外グランド等の表面に塵埃が発生するのを著しく抑制する。【解決手段】屋外グランド及びコートの施工現場において、再生可能な現場の既存土を所定の深さまで鋤取り等を施して所定の深さの凹部を形成し、鋤取り等を施した既存土を一時保管もしくは仮置きし、凹部に所定量の透水保水材の粒状改良土を投入し、投入した前記粒状改良土と、凹部より下方の下層部の現場土とを混合撹拌し、その後転圧処理を施して透水保水層を形成し、透水保水層の上面に、保管又は仮置きしていた既存土を表層材として敷き均し、敷き均した既存土に所定量の天然樹皮系舗装材を混入せしめ転圧処理を施して表層部を形成せしめた屋外グランド及びコートの構造である。【選択図】    図４
0003124144.tif 000002
【実用新案登録請求の範囲】
【請求項１】
屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の透水保水材の粒状改良土を投入し、投入した前記粒状改良土と、前記凹部より下方の下層部の現場土とを混合撹拌し、その後転圧処理を施して透水保水層を形成し、前記透水保水層の上面に、前記の保管もしくは仮置きしていた前記既存土を表層材として敷き均し、敷き均した前記既存土に所定量の天然樹皮系舗装材を混入せしめ転圧処理を施して表層部を形成せしめることを特徴とする屋外グランド及びコートの構造。
【請求項２】
屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生砂を所定量投入し、投入した前記再生砂と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に、所定量の天然樹皮系舗装材を混入せしめ転圧処理を施して表層部を形成せしめることを特徴とする屋外グランド及びコートの構造。
【請求項３】
屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生骨材を所定量投入し、投入した前記再生骨材と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に所定量の天然樹皮系舗装材を投入し、敷き均した前記既存土と混合撹拌し、転圧処理を施して表層部を形成せしめることを特徴とする屋外グランド及びコートの構造。
【請求項４】
屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の木製チップ材を投入し、投入した前記木製チップ材と、前記凹部より下方の下層部の現場土とを混合撹拌し、その後転圧処理を施して透水保水層を形成し、前記透水保水層の上面に、前記の保管もしくは仮置きした前記既存土を表層材として敷き均し、敷き均した前記既存土に所定量の天然樹皮系舗装材を混入せしめ転圧処理を施して表層部を形成せしめることを特徴とする屋外グランド及びコートの構造。
【請求項５】
前記透水保水材の粒状改良土、再生砂、再生骨材及び木製チップ材を、複数組合せて使用することを特徴とする請求項１又は請求項２又は請求項３又は請求項４記載の屋外グランド及びコートの構造。
【請求項６】
前記表層材の天然樹皮系舗装材及び木製チップ材を、組合せて使用することを特徴とする請求項１又は請求項２又は請求項３又は請求項４又は請求項５記載の屋外グランド及びコートの構造。
【考案の詳細な説明】
【技術分野】
【０００１】
本考案は、屋外グランド及びコートの構造の分野に関するものである。
【背景技術】
【０００２】
従来屋外グランド及びコートの構造としては、特許第３４０９１８４号の特許公報のものが開示されている。
【０００３】
前記特許公報ものは、屋外グランド及びコートの施工現場の現場土において、所定の深さで形成された凹部に、建設発生土に水溶性のアクリル樹脂製改良剤と生石灰やセメント等の固化剤を添加して強度を向上せしめた粒状改良土を所定量投入し、投入した粒状改良土と前記凹部より下方の下層部の現場土とを混合撹拌し、その後転圧処理を施して透水保水層を形成し、さらに前記透水保水層の上面に表面処理を行って表面部を形成する構造であった。
【０００４】
そのため従来の透水保水層プラス表面部からなる構造の屋外グランド及びコートは、前記した透水保水層の透水性と保水性によって、ほこり立ちを防止し、湿気を漂わせてスポーツ競技者らに爽快さを与える等の利点があった。
【０００５】
しかし、前記した従来開示の特許公報の発明を構成する表層部には、前記表層部を構成する部材が、材質的に前記透水保水層内の水分を毛細管現象により上昇せしめる吸水力が弱かった。
【特許文献１】特許第３４０９１８４号特許公報
【考案の開示】
【考案が解決しようとする課題】
【０００６】
本考案が解決しようとする課題は、施工された屋外グランド及びコートの構造を構成している下方層の透水保水層に貯えられている雨水を、さらに前記透水保水層の上面に形成されている表層部の内部にまで、毛細管現象により常時均一に保湿せしめることができるようにすると共に、屋外グランド及びコートの表面に塵埃が発生するのを従来のグランド及びコートの構造に比し著しく抑制せしめた。
【０００７】
そのため本考案のグランド及びコートの構造は、前述のとおりグランド及びコートの表面に塵埃が発生するのを確実に抑制せしめて、スポーツ競技者の健康の増進に役立たしめた。
【０００８】
また本考案のグランド及びコートの構造は、構成層である前記表層部の構成部材に殺菌性を有する構成資材を使用して雑草を生えにくくした。そのため除草作業は不要となった。
【０００９】
さらに本考案のグランド及びコートの構造は、前記表層部の構成部材として、天然木の樹皮材を加工して形成した樹皮系舗装材（繊維状のもの）もしくは天然材木を２〜３ｍｍ程度にカットしたチップ状にしたものを混入せしめて弾力性を著しく高め、スポーツ競技者らのシューズ等による衝撃力を吸収し、前記競技者らの疲労感を減少せしめるようにした。
【００１０】
また本考案の屋外グランド及びコートの構造は、その表層部の構成部材として混入した樹皮系舗装材もしくはチップ材を、天然木の樹皮製もしくは天然木材製にして長時間をかけることによって徐々に腐蝕させ土に帰るようにした。
【００１１】
従って本考案は自然にやさしい限りある地球の資源の再利用に貢献できる利点を有している。
【課題を解決するための手段】
【００１２】
本考案の課題を解決する手段としての請求項１記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の透水保水材の粒状改良土を投入し、投入した前記粒状改良土と、前記凹部より下方の下層部の現場土とを混合撹拌し、その後転圧処理を施して透水保水層を形成し、前記透水保水層の上面に、前記の保管もしくは仮置きしていた前記既存土を表層材として敷き均し、敷き均した前記既存土に所定量の天然樹皮系舗装材を混入せしめ転圧処理を施して表層部を形成せしめることを特徴とする屋外グランド及びコートの構造である。
【００１３】
さらに本考案の請求項２記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生砂を所定量投入し、投入した前記再生砂と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に、所定量の天然樹皮系舗装材を混入せしめ転圧処理を施して表層部を形成せしめることを特徴とする屋外グランド及びコートの構造である。
【００１４】
本考案の請求項３記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生骨材を所定量投入し、投入した前記再生骨材と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に、所定量の樹皮系舗装材を投入し、敷き均した前記既存土と混合撹拌し、転圧処理を施して表層部を形成せしめることを特徴とする屋外グランド及びコートの構造である。
【００１５】
本考案の請求項４記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の木製チップ材を投入し、投入した前記木製チップ材と、前記凹部より下方の下層部の現場土とを混合撹拌し、その後転圧処理を施して透水保水層を形成し、前記透水保水層の上面に、前記の保管もしくは仮置きした前記既存土を表層材として敷き均し、敷き均した前記既存土に所定量の天然樹皮系舗装材を混入せしめ転圧処理を施して表層部を形成せしめることを特徴とする屋外グランド及びコートの構造である。
【００１６】
本考案の請求項５記載の考案は、前記透水保水材の粒状改良土、再生砂、再生骨材及び木製チップ材を、複数組合せて使用することを特徴とする請求項１又は請求項２又は請求項３又は請求項４記載の屋外グランド及びコートの構造である。
【００１７】
本考案の請求項６記載の考案は、前記表層材の天然樹皮系舗装材及び木製チップ材を組合せて使用することを特徴とする請求項１又は請求項２又は請求項３又は請求項４又は請求項５記載の屋外グランド及びコートの構造である。
【考案の効果】
【００１８】
請求項１記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の透水保水材の粒状改良土を投入し、投入した前記粒状改良土と、前記凹部より下方の下層部の現場土とを混合撹拌し、その後転圧処理を施して透水保水層を形成し、前記透水保水層の上面に、前記の保管もしくは仮置きしていた前記既存土を表層材として敷き均し、敷き均した前記既存土に所定量の天然樹皮系舗装材を混入せしめ転圧処理を施して表層部を形成せしめる屋外グランド及びコートの構造なので、前記表層部の構成部材に繊維性の天然樹皮系舗装材をコート等の現場の既存土に混入し使用したことによって、前記透水保水層の中の水分を毛細管現象によってスムーズに吸水せしめ、常時表層部を保湿させる利点がある。
【００１９】
そのため前記保湿作用によって本考案のグランド及びコートの表面のほこり立ちが従来のものに比し著しく減少し、スポーツ競技者らの健康増進に役立つ利点を有している。
【００２０】
さらに本考案の表層部として天然樹皮系舗装材を使用しているので、殺菌性を有し、雑草を生えにくくすることができた。
【００２１】
そのため除草作業を不要にした。
【００２２】
さらに本考案の表層部として天然樹皮系舗装材を使用しているので、緩衝力を有すると共に、衝撃力を吸収しスポーツ競技者らの疲労を著しく減少させた。
【００２３】
また本考案の表層部として天然樹皮系舗装材を使用しているので、長時間かけて徐々に腐蝕して土に帰戻し、地球資源の再利用に貢献できる利点を有している。
【００２４】
さらに本考案の表層部として天然樹皮系舗装材を使用しているので、繊維状のため透水性を十分有しており、そのため雨水が溜ったりしないと共に、照り返しによる気温の上昇を未然に防止する利点を有している。
【００２５】
さらに請求項２記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生砂を所定量投入し、投入した前記再生砂と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に、所定量の天然樹皮系舗装材を混入せしめ転圧処理を施して表層部を形成せしめる屋外グランド及びコートの構造なので、前記した請求項１記載の考案と同じ効果を有している。
【００２６】
また請求項３記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に透水保水材である再生骨材を所定量投入し、投入した前記再生骨材と、前記凹部より下方の下層部の現場土とを混合撹拌し、その後転圧処理を施して透水保水層を形成し、前記透水保水層の上面に、前記の保管もしくは仮置きした既存土を表層材として敷き均し、敷き均した前記既存土に所定量の天然樹皮系舗装材を投入し、敷き均した前記既存土と混合撹拌し、転圧処理を施して表層部を形成せしめる屋外グランド及びコートの構造なので、請求項１記載の考案の効果と同じ効果を有している。
【００２７】
さらに請求項４記載の考案は、屋外グランド及びコートの施工現場において、再生可能な現場の既存土を所定の深さまで鋤取り等を施して所定の深さの凹部を形成し、前記鋤取り等を施した前記既存土を一時保管もしくは仮置きし、前記凹部に所定量の木製チップ材を投入し、投入した前記木製チップ材と、前記凹部より下方の下層部の現場土とを混合撹拌し、その後転圧処理を施して透水保水層を形成し、前記透水保水層の上面に、前記の保管もしくは仮置きした前記既存土を表層材として敷き均し、敷き均した前記既存土に所定量の天然樹皮系舗装材を混入せしめ転圧処理を施して表層部を形成せしめる屋外グランド及びコートの構造なので、透水保水層の透水保水材として天然木の木製チップ材を使用して、長時間かけて徐々に腐蝕し土に帰し、且地球の資源の有効利用に貢献できる。
【００２８】
また本考案の表層部に天然樹皮系舗装材を使用したので、前記請求項１記載の考案の効果と同じ効果を有している。
【００２９】
また請求項５記載の考案は、前記透水保水材の粒状改良土、再生砂、再生骨材及び木製チップ材を、複数組合せて使用する屋外グランド及びコートの構造なので、前記請求項１又は請求項２又は請求項３又は請求項４記載の考案の効果と同じ効果を有している。
【００３０】
さらに請求項６記載の考案は、前記表層材の天然樹皮系舗装材及び木製チップ材を組合せて使用する屋外グランド及びコートの構造なので、前記請求項１又は請求項２又は請求項３又は請求項４又は請求項５記載の考案の効果と同じ効果を有している。
【考案を実施するための最良の形態】
【００３１】
本考案の請求項１〜６記載の屋外グランド及びコートの構造に係る実施の形態は、共通しているので図面にもとづき以下のとおり一括して説明する。
【００３２】
ａは施工された屋外グランドであり、コートについては図示していない。
【００３３】
１は前記グランドの施工現場である。２は屋外グランドａ等の施工現場１の既存土を所定の深さまで鋤取りし掘り起して形成された凹部である。３は透水保水材の一種の粒状改良土である。
【００３４】
前記粒状改良土３を前記凹部２に所定量投入する。
【００３５】
しかる後、投入された粒状改良土３と下層部５の土４とを混合撹拌装置（限定しない）を介して程良く混合する。
【００３６】
上記のように混合撹拌した後、所定の厚さに転圧処理して透水保水層６を形成する。
【００３７】
前記のように形成された透水保水層６は、所定の硬度を有し、且投入した粒状改良土３によって透水性と保水性を発揮する。
【００３８】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去してから用いても良い。
【００３９】
そして前記のように敷き均した既存土７に、天然樹皮舗装材８を所定量混入し既存土７と撹拌せしめる。
【００４０】
しかる後転圧処理を施して所定厚さの表層部９を形成する。
【００４１】
前記混入の天然樹皮舗装材８は、天然木の杉、檜、もみの木等の厚い樹皮を厳選して精製したもので、細い繊維質を主成分とする。
【００４２】
そして前記舗装材８は、透水性及び保水性が著しく高い性質を有している。
【００４３】
さらに前記舗装材８は、クッション性もあり、また長時間使用すると徐々に腐蝕して土に帰る性質を併有している。
【００４４】
前記の構成からなる本考案のグランドａの前記表層部９の上面に、降雨があると、雨水は前記表層部９を構成している繊維状にして且透水及び保水性を有する天然樹皮舗装材８の性質によって表層部９内に浸透し、次いで前記表層部９より下方の透水保水層６を構成する土中に混合されている天然樹皮舗装材８が適度な空隙を有する安定した土粒子構造を形成するために浸透性がよく、また一度浸透した水分も毛細管現象により上昇し適度な保水状態を維持している。
【００４５】
さらに本考案のグランド及びコート等を構成する透水保水層６として、前記粒状改良３に代えて所定量の再生砂１０を使用する。
【００４６】
前記再生砂１０は、「再生砂（通称ＲＣ−１０）は路盤発生材・アスファルトコンクリート発生材から製造した再生資材あるいはこれらを混合した材料に必要に応じて補足材を加え所定の品質が得られるように調整したもので粒径１０ｍｍ以下のものである。
【００４７】
前記のように形成された再生砂１０の所定量を、前記凹部２内に投入する。
【００４８】
しかる後、投入された再生砂１０と下層部５の土４とを混合撹拌装置（限定しない）を介して程良く混合する。
【００４９】
上記のようにして混合撹拌後は、所定の厚さに転圧処理して透水保水層６を形成する。
【００５０】
前記のように形成された透水保水層６は、所定の硬度を有し、且構成部材の再生砂１０によって透水性と保水性を発揮する。
【００５１】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去した後用いても良い。
【００５２】
そして前記のように敷き均した既存土７に、天然樹皮舗装材８を所定量混入し既存土７と撹拌せしめる。
【００５３】
しかる後転圧処理を施して所定厚さの表層部９を形成する。
【００５４】
前記混入の天然樹皮舗装材８は、天然木の杉、檜、もみの木等の厚い樹皮を厳選して精製したもので、細い繊維質を主成分とする。
【００５５】
そして前記舗装材８は、透水性及び保水性が著しく高い性質を有している。
【００５６】
さらに前記舗装材８は、クッション性もあり、また長時間使用すると徐々に腐蝕して土に帰る性質を併有している。
【００５７】
前記の構成からなる本考案のグランドａの前記表層部９の上面に、降雨があっても雨水は前記表層部９を構成している繊維状にして且透水及び保水性を有する天然樹皮舗装材８の特質によって表層部９内に浸透し、次いで前記表層部９より下方の透水保水層６にまで毛細管現象によって透水し、且該層内に保水される。
【００５８】
さらに本考案のグランド及びコート等を構成する透水保水層６として、前記再生砂１０に代えて、所定量の再生骨材１１を使用する。
【００５９】
本考案において使用する前記再生骨材１１は、ビル解体等で発生するコンクリート塊や、破砕場で多量に発生する石粉混じりの細い破砕等を容器に適当量入れ、混合撹拌して得られた粒度が０ｍｍ〜１０ｍｍ程度のものである。
【００６０】
しかる後、投入された再生骨材１１と下層部５の土４とを混合撹拌装置（限定しない）を介して程良く混合する。
【００６１】
上記のようにして混合撹拌後は、所定の厚さに転圧処理して透水保水層６を形成する。
【００６２】
前記のように形成された透水保水層６は、所定の硬度を有し、且投入した再生骨材１１によって透水性と保水性を発揮する。
【００６３】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去した後用いても良い。
【００６４】
そして前記のように敷き均した既存土７に、天然樹皮舗装材８を所定量混入し既存土７と撹拌せしめる。
【００６５】
しかる後転圧処理を施して所定厚さの表層部９を形成する。
【００６６】
前記混入の天然樹皮舗装材８は、天然木の杉、檜、もみの木等の厚い樹皮を厳選して精製したもので、細い繊維質を主成分とする。
【００６７】
そして前記舗装材８は、透水性及び保水性が著しく高い性質を有している。
【００６８】
さらに前記舗装材８は、クッション性もあり、また長時間使用すると徐々に腐蝕して土に帰る性質を併有している。
【００６９】
前記の構成からなる本考案のグランドａの前記表層部９の上面に、降雨があっても雨水は前記表層部９を構成している繊維状にして且透水及び保水性を有する天然樹皮舗装材８の特質によって浸透し、次いで前記表層部９の下方の透水保水層６にまで毛細管現象によって透水し、且該層内に保水される。
【００７０】
さらに本考案のグランド等の構造の構成部材である透水保水層６として、天然木材のチップ材１２を使用する。この場合チップ材１２の大きさは２〜３ｍｍ程度にカットされたものを使用する。
【００７１】
そして所定量の前記天然木材のチップ材１２と下層部５の土４とを混合撹拌し、転圧処理をして形成された透水保水層６も、前記チップ材１２の材質によって透水、保水機能を発揮する。
【００７２】
さらに前記透水保水層６の上面にして、しかも凹部２内に、既存土を敷き均してやる。そして所定量の前記樹皮舗装材８を混入撹拌し、混入後転圧処理し表層部９を形成する。上記のように形成された表層部９が有する透水、保水及び保湿機能は前述した構成部材を含有する透水保水層６と同じである。
【００７３】
そして前記透水保水層６と前記表層部９に含有されている前記チップ材１２と前記天然樹皮舗装材８は、何れも長時間かけて腐蝕し土に戻る。
【００７４】
さらに本考案は、透水保水材としての粒状改良土３、再生砂１０、再生骨材１１及びチップ材１２を単体で使用するが、複数部材として、例えば所定量の粒状改良土３に所定量のチップ材１２を、あるいは再生砂１０に所定量のチップ材１２を、あるいは再生骨材１１に所定量のチップ材１２を組合せ混合撹拌し、転圧処理を施し透水保水層を形成してもよい。
【００７５】
また本考案の表層部９の材料としては、天然樹皮舗装材８と木材チップ１２とを単体で使用する実施例を挙げたが、両部材を所定の混合比率で既存土７に混入せしめてもよい。例えば既存土７を７０％と天然樹皮舗装材８を１５％、木材チップ１２を１５％としてもよい。
【００７６】
そして前記の混合比率は、スポーツ競技に必要な一定の硬さを有している。
【００７７】
前記透水保水層６と表層部９に使用する構成部材を、前記のとおり複数の前記部材を組合せて使用しても、透水性と保水性と、さらに保湿性（表層部）をも夫々発揮させることができる。
【図面の簡単な説明】
【００７８】
【図１】本考案屋外グランド及びコートの構造を施工するために掘り起し凹部を形成した状態の縦断面図である。
【００７９】
【図２】図１の状態に形成された凹部内に粒状改良土を投入し、且下層部の現場土と混合撹拌せしめている状態の縦断面図である。
【００８０】
【図３】図２によって形成された透水保水層の上面にして、且凹部内に、鋤取りされ保管中の現場土を投入し敷き均し、敷き均した後天然樹皮舗装材を混入した状態の縦断面図である。
【００８１】
【図４】図３の状態から転圧処理を施した状態の縦断面図である。
【００８２】
【図５】同凹部を形成したグランドに再生砂を投入し、且下層部の現場土と混合撹拌せしめている状態の縦断面図である。
【００８３】
【図６】図５の混合撹拌した後転圧処理を施して透水保水層を形成せしめ、且保管中の現場土を投入し敷き均し、敷き均した後天然樹皮舗装材を混入した状態の縦断面図である。
【００８４】
【図７】図６の状態から転圧処理を施した状態の縦断面図である。
【００８５】
【図８】同凹部を形成したグランドに再生骨材を投入し、且下層部の現場土と混合撹拌せしめている状態の縦断面図である。
【００８６】
【図９】図８の混合撹拌した後転圧処理を施して透水保水層を形成せしめ、且保管中の現場土を投入し敷き均し、敷き均した後天然樹皮舗装材を混入した状態の縦断面図である。
【００８７】
【図１０】図９の状態から転圧処理を施した状態の縦断面図である。
【００８８】
【図１１】同凹部を形成したグランドにチップ材を投入し、且下層部の現場土と混合撹拌せしめている状態の縦断面図である。
【００８９】
【図１２】図１１の混合撹拌した後転圧処理をして透水保水層を形成せしめ、且保管中の現場土を投入し敷き均し、敷き均した後天然樹皮舗装材を混入した状態の縦断面図である。
【００９０】
【図１３】図１１の状態から転圧処理を施した状態の縦断面図である。
【００９１】
【図１４】本考案の屋外グランド及びコートを施工するため凹部形成時に鋤取りされた既存土を示す図である。
【００９２】
【図１５】本考案の屋外グランド及びコートを構成する透水保水材の一種の粒状改良土を示す図である。
【００９３】
【図１６】同透水保水材の再生砂を示す図である。
【００９４】
【図１７】同再生骨材を示す図である。
【００９５】
【図１８】同表層材の天然樹皮舗装材を示す図である。
【００９６】
【図１９】同表層材のチップ材を示す図である。
【符号の説明】
【００９７】
ａ      グランド
１      施工現場
２      凹部
３      粒状改良土
４      土
５      下層部
６      透水保水層
７      既存土
８      樹皮舗装材
９      表層部
１０    再生砂
１１    再生骨材
１２    チップ材
【図１】
0003124144.tif 000003
【図２】
0003124144.tif 000004
【図３】
0003124144.tif 000005
【図４】
0003124144.tif 000006
【図５】
0003124144.tif 000007
【図６】
0003124144.tif 000008
【図７】
0003124144.tif 000009
【図８】
0003124144.tif 000010
【図９】
0003124144.tif 000011
【図１０】
0003124144.tif 000012
【図１１】
0003124144.tif 000013
【図１２】
0003124144.tif 000014
【図１３】
0003124144.tif 000015
【図１４】
0003124144.tif 000016
【図１５】
0003124144.tif 000017
【図１６】
0003124144.tif 000018
【図１７】
0003124144.tif 000019
【図１８】
0003124144.tif 000020
【図１９】
0003124144.tif 000021
【手続補正書】
【提出日】平成18年6月1日(2006.6.1)
【手続補正１】
【補正対象書類名】実用新案登録請求の範囲
【補正対象項目名】全文
【補正方法】変更
【補正の内容】
【実用新案登録請求の範囲】
【請求項１】
屋外グランドやコートの施工現場における再生可能な現場の既存土が掘り起こされて形成された凹部に所定量の透水保水材の粒状改良土が投入され、投入された前記粒状改良土と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造。
【請求項２】
屋外グランドやコートの施工現場における再生可能な現場の既存土が掘り起こされて形成された凹部に透水保水材である再生砂が所定量投入され、投入された前記再生砂と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造。
【請求項３】
屋外グランドやコートの施工現場における再生可能な現場の既存土が掘り起こされて形成された凹部に透水保水材である再生骨材が所定量投入され、投入された前記再生骨材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が投入され、敷き均された前記既存土と混合撹拌され転圧されて表層部が形成されて成ることを特徴とする屋外グランド及びコートの構造。
【請求項４】
屋外グランドやコートの施工現場における再生可能な現場の既存土が掘り起こされて形成された凹部に所定量の木製チップ材が投入され、投入された前記木製チップ材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造。
【請求項５】
前記透水保水材の粒状改良土、再生砂、再生骨材及び木製チップ材が、複数組合せて使用されて成ることを特徴とする請求項１又は請求項２又は請求項３又は請求項４記載の屋外グランド及びコートの構造。
【請求項６】
前記表層材の天然樹皮系舗装材及び木製チップ材が、組合せて使用されて成ることを特徴とする請求項１又は請求項２又は請求項３又は請求項４又は請求項５記載の屋外グランド及びコートの構造。
【手続補正２】
【補正対象書類名】明細書
【補正対象項目名】全文
【補正方法】変更
【補正の内容】
【考案の詳細な説明】
【技術分野】
【０００１】
本考案は、屋外グランド及びコートの構造の分野に関するものである。
【背景技術】
【０００２】
従来屋外グランド及びコートの構造としては、特許第３４０９１８４号の特許公報のものが開示されている。
【０００３】
前記特許公報ものは、屋外グランド及びコートの施工現場の現場土において、所定の深さで形成された凹部に、建設発生土に水溶性のアクリル樹脂製改良剤と生石灰やセメント等の固化剤を添加して強度を向上せしめた粒状改良土を所定量投入し、投入した粒状改良土と前記凹部より下方の下層部の現場土とを混合撹拌し、その後転圧処理を施して透水保水層を形成し、さらに前記透水保水層の上面に表面処理を行って表面部を形成する構造であった。
【０００４】
そのため従来の透水保水層プラス表面部からなる構造の屋外グランド及びコートは、前記した透水保水層の透水性と保水性によって、ほこり立ちを防止し、湿気を漂わせてスポーツ競技者らに爽快さを与える等の利点があった。
【０００５】
しかし、前記した従来開示の特許公報の発明を構成する表層部には、前記表層部を構成する部材が、材質的に前記透水保水層内の水分を毛細管現象により上昇せしめる吸水力が弱かった。
【特許文献１】特許第３４０９１８４号特許公報
【考案の開示】
【考案が解決しようとする課題】
【０００６】
本考案が解決しようとする課題は、施工された屋外グランド及びコートの構造を構成している下方層の透水保水層に貯えられている雨水を、さらに前記透水保水層の上面に形成されている表層部の内部にまで、毛細管現象により常時均一に保湿せしめることができるようにすると共に、屋外グランド及びコートの表面に塵埃が発生するのを従来のグランド及びコートの構造に比し著しく抑制せしめた。
【０００７】
そのため本考案のグランド及びコートの構造は、前述のとおりグランド及びコートの表面に塵埃が発生するのを確実に抑制せしめて、スポーツ競技者の健康の増進に役立たしめた。
【０００８】
また本考案のグランド及びコートの構造は、構成層である前記表層部の構成部材に殺菌性を有する構成資材を使用して雑草を生えにくくした。そのため除草作業は不要となった。
【０００９】
さらに本考案のグランド及びコートの構造は、前記表層部の構成部材として、天然木の樹皮材を加工して形成した樹皮系舗装材（繊維状のもの）もしくは天然材木を２〜３ｍｍ程度にカットしたチップ状にしたものを混入せしめて弾力性を著しく高め、スポーツ競技者らのシューズ等による衝撃力を吸収し、前記競技者らの疲労感を減少せしめるようにした。
【００１０】
また本考案の屋外グランド及びコートの構造は、その表層部の構成部材として混入した樹皮系舗装材もしくはチップ材を、天然木の樹皮製もしくは天然木材製にして長時間をかけることによって徐々に腐蝕させ土に帰るようにした。
【００１１】
従って本考案は自然にやさしい限りある地球の資源の再利用に貢献できる利点を有している。
【課題を解決するための手段】
【００１２】
本考案の課題を解決する手段としての請求項１記載の考案は、屋外グランドやコートの施工現場における再生可能な現場の既存土が掘り起こされて形成された凹部に所定量の透水保水材の粒状改良土が投入され、投入された前記粒状改良土と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造である。
【００１３】
さらに本考案の請求項２記載の考案は、屋外グランドやコートの施工現場における再生可能な現場の既存土が掘り起こされて形成された凹部に透水保水材である再生砂が所定量投入され、投入された前記再生砂と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造である。
【００１４】
本考案の請求項３記載の考案は、屋外グランドやコートの施工現場における再生可能な現場の既存土が掘り起こされて形成された凹部に透水保水材である再生骨材が所定量投入され、投入された前記再生骨材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が投入され、敷き均された前記既存土と混合撹拌され転圧されて表層部が形成されて成ることを特徴とする屋外グランド及びコートの構造である。
【００１５】
本考案の請求項４記載の考案は、屋外グランドやコートの施工現場における再生可能な現場の既存土が掘り起こされて形成された凹部に所定量の木製チップ材が投入され、投入された前記木製チップ材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造である。
【００１６】
本考案の請求項５記載の考案は、前記透水保水材の粒状改良土、再生砂、再生骨材及び木製チップ材が、複数組合せて使用されて成ることを特徴とする請求項１又は請求項２又は請求項３又は請求項４記載の屋外グランド及びコートの構造である。
【００１７】
本考案の請求項６記載の考案は、前記表層材の天然樹皮系舗装材及び木製チップ材が、組合せて使用されて成ることを特徴とする請求項１又は請求項２又は請求項３又は請求項４又は請求項５記載の屋外グランド及びコートの構造である。
【考案の効果】
【００１８】
請求項１記載の考案は、屋外グランドやコートの施工現場における再生可能な現場の既存土が掘り起こされて形成された凹部に所定量の透水保水材の粒状改良土が投入され、投入された前記粒状改良土と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造なので、前記表層部の構成部材に繊維性の天然樹皮系舗装材をコート等の現場の既存土に混入し使用したことによって、前記透水保水層の中の水分を毛細管現象によってスムーズに吸水せしめ、常時表層部を保湿させる利点がある。
【００１９】
そのため前記保湿作用によって本考案のグランド及びコートの表面のほこり立ちが従来のものに比し著しく減少し、スポーツ競技者らの健康増進に役立つ利点を有している。
【００２０】
さらに本考案の表層部として天然樹皮系舗装材を使用しているので、殺菌性を有し、雑草を生えにくくすることができた。
【００２１】
そのため除草作業を不要にした。
【００２２】
さらに本考案の表層部として天然樹皮系舗装材を使用しているので、緩衝力を有すると共に、衝撃力を吸収しスポーツ競技者らの疲労を著しく減少させた。
【００２３】
また本考案の表層部として天然樹皮系舗装材を使用しているので、長時間かけて徐々に腐蝕して土に帰戻し、地球資源の再利用に貢献できる利点を有している。
【００２４】
さらに本考案の表層部として天然樹皮系舗装材を使用しているので、繊維状のため透水性を十分有しており、そのため雨水が溜ったりしないと共に、照り返しによる気温の上昇を未然に防止する利点を有している。
【００２５】
さらに請求項２記載の考案は、屋外グランドやコートの施工現場における再生可能な現場の既存土が掘り起こされて形成された凹部に透水保水材である再生砂が所定量投入され、投入された前記再生砂と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造なので、前記した請求項１記載の考案と同じ効果を有している。
【００２６】
また請求項３記載の考案は、屋外グランドやコートの施工現場における再生可能な現場の既存土が掘り起こされて形成された凹部に透水保水材である再生骨材が所定量投入され、投入された前記再生骨材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が投入され、敷き均された前記既存土と混合撹拌され転圧されて表層部が形成されて成ることを特徴とする屋外グランド及びコートの構造なので、請求項１記載の考案の効果と同じ効果を有している。
【００２７】
さらに請求項４記載の考案は、屋外グランドやコートの施工現場における再生可能な現場の既存土が掘り起こされて形成された凹部に所定量の木製チップ材が投入され、投入された前記木製チップ材と、前記凹部より下方の下層部の現場土とが混合撹拌され転圧されて透水保水層が形成されていると共に、前記透水保水層の上面に、前記既存土が表層材として敷き均され、敷き均された前記既存土に所定量の天然樹皮系舗装材が混入され転圧されて表層部が形成されて成ることを特徴とする屋外グランド及びコートの構造なので、透水保水層の透水保水材として天然木の木製チップ材を使用して、長時間かけて徐々に腐蝕し土に帰し、且地球の資源の有効利用に貢献できる。
【００２８】
また本考案の表層部に天然樹皮系舗装材を使用したので、前記請求項１記載の考案の効果と同じ効果を有している。
【００２９】
また請求項５記載の考案は、前記透水保水材の粒状改良土、再生砂、再生骨材及び木製チップ材が、複数組合せて使用されて成る屋外グランド及びコートの構造なので、前記請求項１又は請求項２又は請求項３又は請求項４記載の考案の効果と同じ効果を有している。
【００３０】
さらに請求項６記載の考案は、前記表層材の天然樹皮系舗装材及び木製チップ材が、組合せて使用されて成る屋外グランド及びコートの構造なので、前記請求項１又は請求項２又は請求項３又は請求項４又は請求項５記載の考案の効果と同じ効果を有している。
【考案を実施するための最良の形態】
【００３１】
本考案の請求項１〜６記載の屋外グランド及びコートの構造に係る実施の形態は、共通しているので図面にもとづき以下のとおり一括して説明する。
【００３２】
ａは本考案の屋外グランドであり、コートについては図示していないが同様に実施される。
【００３３】
１は前記グランドの施工現場である。２は屋外グランドａの施工現場１の既存土７（図１４参照）を所定の深さまで鋤取りし掘り起して形成された凹部である。３は透水保水材の一種の粒状改良土である（図１５参照）。
【００３４】
前記粒状改良土３を前記凹部２に所定量投入する。
【００３５】
しかる後、投入された粒状改良土３と下層部５の土４とを混合撹拌装置（限定しない）を介して程良く混合する。
【００３６】
上記のように混合撹拌した後、所定の厚さに転圧処理して透水保水層６を形成する。
【００３７】
前記のように形成された透水保水層６は、所定の硬度を有し、且投入した粒状改良土３によって透水性と保水性を発揮する。
【００３８】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去してから用いても良い。
【００３９】
そして前記のように敷き均した既存土７に、天然樹皮系舗装材８を所定量混入し既存土７と撹拌せしめる。
【００４０】
しかる後転圧処理を施して所定厚さの表層部９を形成する。
【００４１】
前記混入の天然樹皮系舗装材８は、天然木の杉、檜、もみの木等の厚い樹皮を厳選して精製したもので、細い繊維質を主成分とする（図１８及び図１〜４参照）。
【００４２】
そして前記舗装材８は、透水性及び保水性が著しく高い性質を有している。
【００４３】
さらに前記舗装材８は、クッション性もあり、また長時間使用すると徐々に腐蝕して土に帰る性質を併有している。
【００４４】
前記の構成からなる本考案のグランドａの前記表層部９の上面に、降雨があると、雨水は前記表層部９を構成している繊維状にして且透水及び保水性を有する天然樹皮系舗装材８の性質によって表層部９内に浸透し、次いで前記表層部９より下方の透水保水層６を構成する土中に混合されている天然樹皮系舗装材８が適度な空隙を有する安定した土粒子構造を形成するために浸透性がよく、また一度浸透した水分も毛細管現象により上昇し適度な保水状態を維持している。
【００４５】
さらに本考案のグランドａを構成する透水保水層６として、前記粒状改良３に代えて所定量の再生砂１０を使用する（図５〜７及び図１６参照）。
【００４６】
前記再生砂１０は、路盤発生材・アスファルトコンクリート発生材から製造した再生資材あるいはこれらを混合した材料に必要に応じて補足材を加え所定の品質が得られるように調整したもので粒径１０ｍｍ以下のものである。
【００４７】
前記のように形成された再生砂１０の所定量を、前記凹部２内に投入する。
【００４８】
しかる後、投入された再生砂１０と下層部５の土４とを混合撹拌装置（限定しない）を介して程良く混合する。
【００４９】
上記のようにして混合撹拌後は、所定の厚さに転圧処理して透水保水層６を形成する。
【００５０】
前記のように形成された透水保水層６は、所定の硬度を有し、且構成部材の再生砂１０によって透水性と保水性を発揮する。
【００５１】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去した後用いても良い。
【００５２】
そして前記のように敷き均した既存土７に、天然樹皮系舗装材８を所定量混入し既存土７と撹拌せしめる。
【００５３】
しかる後転圧処理を施して所定厚さの表層部９を形成する。
【００５４】
前記混入の天然樹皮系舗装材８は、天然木の杉、檜、もみの木等の厚い樹皮を厳選して精製したもので、細い繊維質を主成分とする。
【００５５】
そして前記舗装材８は、透水性及び保水性が著しく高い性質を有している。
【００５６】
さらに前記舗装材８は、クッション性もあり、また長時間使用すると徐々に腐蝕して土に帰る性質を併有している。
【００５７】
前記の構成からなる本考案のグランドａの前記表層部９の上面に、降雨があっても雨水は前記表層部９を構成している繊維状にして且透水及び保水性を有する天然樹皮系舗装材８の特質によって表層部９内に浸透し、次いで前記表層部９より下方の透水保水層６にまで毛細管現象によって透水し、且該層内に保水される。
【００５８】
さらに本考案のグランドａを構成する透水保水層６として、前記再生砂１０に代えて、所定量の再生骨材１１を使用する（図８〜１０及び図１７参照）。
【００５９】
本考案において使用する前記再生骨材１１は、ビル解体等で発生するコンクリート塊や、破砕場で多量に発生する石粉混じりの細い破砕等を容器に適当量入れ、混合撹拌して得られた粒度が０ｍｍ〜１０ｍｍ程度のものである。
【００６０】
しかる後、投入された再生骨材１１と下層部５の土４とを混合撹拌装置（限定しない）を介して程良く混合する。
【００６１】
上記のようにして混合撹拌後は、所定の厚さに転圧処理して透水保水層６を形成する。
【００６２】
前記のように形成された透水保水層６は、所定の硬度を有し、且投入した再生骨材１１によって透水性と保水性を発揮する。
【００６３】
さらに前記のように形成された透水保水層６の上面にして、且凹部２内に、鋤取りし掘り起した一時保管もしくは仮置きされている既存土７を表層材として敷き均してやる。しかし前記既存土７は敷き均す前に、篩にかけて雑物を除去した後用いても良い。
【００６４】
そして前記のように敷き均した既存土７に、天然樹皮系舗装材８を所定量混入し既存土７と撹拌せしめる。
【００６５】
しかる後転圧処理を施して所定厚さの表層部９を形成する。
【００６６】
前記混入の天然樹皮系舗装材８は、天然木の杉、檜、もみの木等の厚い樹皮を厳選して精製したもので、細い繊維質を主成分とする。
【００６７】
そして前記舗装材８は、透水性及び保水性が著しく高い性質を有している。
【００６８】
さらに前記舗装材８は、クッション性もあり、また長時間使用すると徐々に腐蝕して土に帰る性質を併有している。
【００６９】
前記の構成からなる本考案のグランドａの前記表層部９の上面に、降雨があっても雨水は前記表層部９を構成している繊維状にして且透水及び保水性を有する天然樹皮系舗装材８の特質によって浸透し、次いで前記表層部９の下方の透水保水層６にまで毛細管現象によって透水し、且該層内に保水される。
【００７０】
さらに本考案のグランドａの構造の構成部材である透水保水層６として、天然木材のチップ材１２を使用する。この場合チップ材１２の大きさは２〜３ｍｍ程度にカットされたものを使用する（図１１〜１３及び図１９参照）。
【００７１】
そして所定量の前記天然木材のチップ材１２と下層部５の土４とを混合撹拌し、転圧処理をして形成された透水保水層６も、前記チップ材１２の材質によって透水、保水機能を発揮する。
【００７２】
さらに前記透水保水層６の上面にして、しかも凹部２内に、既存土を敷き均してやる。そして所定量の前記天然樹皮系舗装材８を混入撹拌し、混入後転圧処理し表層部９を形成する。上記のように形成された表層部９が有する透水、保水及び保湿機能は前述した構成部材を含有する透水保水層６と同じである。
【００７３】
そして前記透水保水層６と前記表層部９に含有されている前記チップ材１２と前記天然樹皮系舗装材８は、何れも長時間かけて腐蝕し土に戻る。
【００７４】
さらに本考案は、透水保水材としての粒状改良土３、再生砂１０、再生骨材１１及びチップ材１２を単体で使用するが、複数部材として、例えば所定量の粒状改良土３に所定量のチップ材１２を、あるいは再生砂１０に所定量のチップ材１２を、あるいは再生骨材１１に所定量のチップ材１２を組合せ混合撹拌し、転圧処理を施し透水保水層を形成してもよい。
【００７５】
また本考案の表層部９の材料としては、天然樹皮系舗装材８と木材チップ１２とを単体で使用する実施例を挙げたが、両部材を所定の混合比率で既存土７に混入せしめてもよい。例えば既存土７を７０％と天然樹皮系舗装材８を１５％、木材チップ１２を１５％としてもよい。
【００７６】
そして前記の混合比率は、スポーツ競技に必要な一定の硬さを有している。
【００７７】
前記透水保水層６と表層部９に使用する構成部材を、前記のとおり複数の前記部材を組合せて使用しても、透水性と保水性と、さらに保湿性（表層部）をも夫々発揮させることができる。
【図面の簡単な説明】
【００７８】
【図１】本考案の屋外グランドの構造を形成するために掘り起し凹部を形成した状態の縦断面図である。
【００７９】
【図２】図１の状態に形成された凹部内に粒状改良土を投入し、且下層部の現場土と混合撹拌せしめている状態の縦断面図である。
【００８０】
【図３】図２によって形成された透水保水層の上面にして、且凹部内に、鋤取りされ保管中の現場土を投入し敷き均し、敷き均した後天然樹皮系舗装材を混入した状態の縦断面図である。
【００８１】
【図４】図３の状態から転圧処理を施した状態の縦断面図である。
【００８２】
【図５】同凹部を形成したグランドに再生砂を投入し、且下層部の現場土と混合撹拌せしめている状態の縦断面図である。
【００８３】
【図６】図５の混合撹拌した後転圧処理を施して透水保水層を形成せしめ、且保管中の現場土を投入し敷き均し、敷き均した後天然樹皮系舗装材を混入した状態の縦断面図である。
【００８４】
【図７】図６の状態から転圧処理を施した状態の縦断面図である。
【００８５】
【図８】同凹部を形成したグランドに再生骨材を投入し、且下層部の現場土と混合撹拌せしめている状態の縦断面図である。
【００８６】
【図９】図８の混合撹拌した後転圧処理を施して透水保水層を形成せしめ、且保管中の現場土を投入し敷き均し、敷き均した後天然樹皮系舗装材を混入した状態の縦断面図である。
【００８７】
【図１０】図９の状態から転圧処理を施した状態の縦断面図である。
【００８８】
【図１１】同凹部を形成したグランドにチップ材を投入し、且下層部の現場土と混合撹拌せしめている状態の縦断面図である。
【００８９】
【図１２】図１１の混合撹拌した後転圧処理をして透水保水層を形成せしめ、且保管中の現場土を投入し敷き均し、敷き均した後天然樹皮系舗装材を混入した状態の縦断面図である。
【００９０】
【図１３】図１１の状態から転圧処理を施した状態の縦断面図である。
【００９１】
【図１４】本考案の屋外グランドを形成するため凹部形成時に鋤取りされた既存土を示す図である。
【００９２】
【図１５】本考案の屋外グランドを構成する透水保水材の一種の粒状改良土を示す図である。
【００９３】
【図１６】同透水保水材の再生砂を示す図である。
【００９４】
【図１７】同再生骨材を示す図である。
【００９５】
【図１８】同表層材の天然樹皮系舗装材を示す図である。
【００９６】
【図１９】同表層材のチップ材を示す図である。
【符号の説明】
【００９７】
ａ      グランド
１      施工現場
２      凹部
３      粒状改良土
４      土
５      下層部
６      透水保水層
７      既存土
８      天然樹皮系舗装材
９      表層部
１０    再生砂
１１    再生骨材
１２    チップ材